(57)【要約】【課題】外光が存在する環境における光源の発光量の補正精度を向上させる。【解決手段】表示装置１は、画像を表示する液晶パネル１５０と、液晶パネル１５０に照射する照射光を出力するＬＥＤ１１１と、液晶パネル１５０の背面側に設けられ、入射される光の強度を検出する光センサ１１２と、ＬＥＤ１１１が照射光を照射していない間に光センサ１１２が検出した光の強度に基づいて、液晶パネル１５０に入射する外光の強度を特定する外光強度特定部１３０と、外光の強度が外光判定閾値以下である場合に、第１補正方法を用いて照射光の強度を補正し、外光の強度が外光判定閾値より大きい場合に、照射光の強度を補正しないか、又は第１補正方法と異なる第２補正方法を用いて照射光の強度を補正する照射光強度補正部１３２と、を有する。【選択図】図１
2017044773.tif 000002
【特許請求の範囲】
【請求項１】
画像を表示する表示手段と、
前記表示手段に照射する照射光を出力する光出力手段と、
前記表示手段の背面側に設けられ、入射される光の強度を検出する光検出手段と、
前記光出力手段が前記照射光を照射していない間に前記光検出手段が検出した光の強度に基づいて、前記表示手段に入射する外光の強度を特定する外光強度特定手段と、
前記外光の強度が外光判定閾値以下である場合に、第１補正方法を用いて前記照射光の強度を補正し、前記外光の強度が前記外光判定閾値より大きい場合に、前記照射光の強度を補正しないか、又は前記第１補正方法と異なる第２補正方法を用いて前記照射光の強度を補正する補正手段と、
を有することを特徴とする表示装置。
【請求項２】
前記補正手段は、前記光検出手段が検出した検出光の強度が、前記外光判定閾値より大きい検出光判定閾値以下である場合に、第１補正方法を用いて前記照射光の強度を補正し、前記検出光の強度が、前記検出光判定閾値より大きい場合に、前記照射光の強度を補正しないか、又は前記第１補正方法と異なる第２補正方法を用いて前記照射光の強度を補正することを特徴とする、
請求項１に記載の表示装置。
【請求項３】
前記補正手段は、前記検出光の強度が前記検出光判定閾値より大きい場合に、異常が発生したことを示す異常情報を出力し、前記検出光の強度が前記検出光判定閾値以下である場合に、前記異常情報を出力しないことを特徴とする、
請求項２に記載の表示装置。
【請求項４】
前記補正手段は、前記外光強度特定手段が特定した前記外光の強度が前記外光判定閾値より大きく、かつ、前記検出光の強度が前記検出光判定閾値より大きい場合に、前記照射光の強度を補正しないか、又は前記第１補正方法と異なる第２補正方法を用いて前記照射光の強度を補正することを特徴とする、
請求項２又は３に記載の表示装置。
【請求項５】
前記補正手段は、前記第２補正方法を用いて前記照射光の強度を補正する場合に、前記光検出手段の感度を変更した状態において前記光検出手段が検出した光の強度に基づいて、前記照射光の強度を補正することを特徴とする、
請求項１から４のいずれか１項に記載の表示装置。
【請求項６】
前記光検出手段は、異なる位置に設けられた複数の光センサを有し、
前記補正手段は、前記第２補正方法を用いて前記照射光の強度を補正する場合に、前記外光の強度の特定に用いる前記光センサを変更した後の前記光検出手段が検出した光の強度に基づいて、前記照射光の強度を補正することを特徴とする、
請求項１から５のいずれか１項に記載の表示装置。
【請求項７】
前記光出力手段が出力する前記照射光の強度を推定する推定手段をさらに有し、
前記補正手段は、前記第２補正方法を用いて前記照射光の強度を補正する場合に、前記推定手段における前記照射光の強度の推定値に基づいて、前記光出力手段が出力する前記照射光の強度を補正することを特徴とする、
請求項１から６のいずれか１項に記載の表示装置。
【請求項８】
前記光出力手段は、前記表示手段の複数の領域に前記照射光を出力する複数の光源を有し、
前記光検出手段は、前記複数の光源が出力する照射光を検出する複数の光センサを有し、
前記外光強度特定手段は、前記複数の光センサが検出した光の強度に基づいて、前記複数の領域それぞれにおける前記外光の強度を特定し、
前記補正手段は、前記外光強度特定手段が特定した前記複数の領域それぞれにおける前記外光の強度と前記外光判定閾値との関係に基づいて、前記複数の光源のそれぞれが出力する前記照射光の強度を補正することを特徴とする、
請求項１から７のいずれか１項に記載の表示装置。
【請求項９】
前記光出力手段は、前記複数の光源から選択された光源から前記照射光を出力し、
前記光検出手段は、前記複数の光センサのうち、前記選択された光源に対応する光センサにより、前記光源が前記照射光を出力している間に入射される光の強度を検出し、
前記補正手段は、前記外光の強度が外光判定閾値以下である場合に、前記光検出手段が検出した光の強度から前記外光の強度を減算することにより特定した前記照射光の強度と目標値との比較結果に基づいて補正することを特徴とする、
請求項８に記載の表示装置。
【請求項１０】
画像を表示する表示手段に光出力手段が照射光を照射していない間に、前記表示手段の背面側に設けられ、入射される光の強度を検出する光検出手段が検出した光の強度に基づいて、前記表示手段に入射する外光の強度を特定するステップと、
前記外光の強度が外光判定閾値以下である場合に、第１補正方法を用いて前記照射光の強度を補正するステップと、
前記外光の強度が前記外光判定閾値より大きい場合に、前記照射光の強度を補正しないか、又は前記第１補正方法と異なる第２補正方法を用いて前記照射光の強度を補正するステップと、
を有することを特徴とする照射光制御方法。
【請求項１１】
前記光検出手段が検出した検出光の強度が、前記外光判定閾値より大きい検出光判定閾値以下である場合に、第１補正方法を用いて前記照射光の強度を補正するステップと、
前記検出光の強度が、前記検出光判定閾値より大きい場合に、前記照射光の強度を補正しないか、又は前記第１補正方法と異なる第２補正方法を用いて前記照射光の強度を補正するステップと、
をさらに有することを特徴とする、
請求項１０に記載の照射光制御方法。
【請求項１２】
前記検出光の強度が前記検出光判定閾値より大きい場合に、異常が発生したことを示す異常情報を出力するステップと、
前記検出光の強度が前記検出光判定閾値以下である場合に、前記異常情報を出力しないステップと、
を有することを特徴とする、
請求項１１に記載の照射光制御方法。
【請求項１３】
前記外光の強度が前記外光判定閾値より大きく、かつ、前記検出光の強度が前記検出光判定閾値より大きい場合に、前記照射光の強度を補正しないか、又は前記第１補正方法と異なる第２補正方法を用いて前記照射光の強度を補正するステップを有することを特徴とする、
請求項１１又は１２に記載の照射光制御方法。
【請求項１４】
前記第２補正方法を用いて前記照射光の強度を補正する場合に、前記光検出手段の感度を変更するステップと、
前記感度を変更するステップの後に、前記光検出手段が検出した光の強度に基づいて、前記照射光の強度を補正するステップと、
を有することを特徴とする、
請求項１０から１３のいずれか１項に記載の照射光制御方法。
【請求項１５】
前記第２補正方法を用いて前記照射光の強度を補正する場合に、前記光検出手段が有する異なる位置に設けられた複数の光センサのうち、前記外光の強度の特定に用いる前記光センサを変更するステップと、
前記光センサを変更するステップの後に、前記光検出手段が検出した光の強度に基づいて、前記照射光の強度を補正するステップと、
を有することを特徴とする、
請求項１０から１４のいずれか１項に記載の照射光制御方法。
【請求項１６】
前記光出力手段が出力する前記照射光の強度を推定するステップと、
前記第２補正方法を用いて前記照射光の強度を補正する場合に、前記推定するステップにおいて推定した前記照射光の強度の推定値に基づいて、前記光出力手段が出力する前記照射光の強度を補正するステップと、
を有することを特徴とする、
請求項１０から１５のいずれか１項に記載の照射光制御方法。
【請求項１７】
複数の光センサが検出した光の強度に基づいて、前記表示手段の複数の領域それぞれにおける前記外光の強度を特定するステップと、
前記複数の領域それぞれにおける前記外光の強度と前記外光判定閾値との関係に基づいて、前記複数の光源のそれぞれが出力する前記照射光の強度を補正するステップと、
を有することを特徴とする、
請求項１０から１６のいずれか１項に記載の照射光制御方法。
【請求項１８】
前記複数の光センサのうち、前記複数の光源から選択された光源に対応する光センサにより、前記光源が前記照射光を出力している間に入射される光の強度を検出するステップと、
前記外光の強度が外光判定閾値以下である場合に、前記光検出手段が検出した光の強度から前記外光の強度を減算することにより前記照射光の強度を特定するステップと、
特定した前記照射光の強度と目標値との比較結果に基づいて、前記照射光の強度を補正するステップと、
を有することを特徴とする、
請求項１７に記載の照射光制御方法。
【発明の詳細な説明】
【技術分野】
【０００１】
本発明は、表示パネルへの照射光の強度を制御することが可能な表示装置、及び照射光の制御方法に関するものである。
【背景技術】
【０００２】
近年、光源として、発光効率及び寿命の点で優れた発光ダイオード（以下、「ＬＥＤ」という）を用いたバックライトを有する液晶表示装置が普及してきている。ＬＥＤは、個体差、経年劣化及び温度劣化等が大きいので、発光量を均一かつ一定に制御するために、ＬＥＤの近傍に設けられた光センサを用いてＬＥＤの発光量を検出し、検出値と目標値との差に基づいてＬＥＤの発光量を補正するフィードバック制御が考案されている。
【０００３】
しかしながら、このようなフィードバック制御を行う液晶表示装置を屋外で使用する場合、光センサが、液晶パネルを通過した環境光（以下、「外光」という）を受けることにより、光源が液晶パネルに照射する照射光の強度を高い精度で検出できない。そのため、ＬＥＤが発する照射光の強度を適切に補正できない。特許文献１には、光源の発光量と外光の強度をそれぞれ検出し、発光量の検出値から外光の影響を除去して、発光量を補正する方法が開示されている。また、特許文献２には、外光の強度が光センサの検出値に影響を与えない程度に小さい場合に、光源の発光量を補正する方法が開示されている。
【先行技術文献】
【特許文献】
【０００４】
【特許文献１】特開２００８−９０９０号公報
【特許文献２】特開２０１３−１６４５６１号公報
【発明の概要】
【発明が解決しようとする課題】
【０００５】
しかしながら、特許文献１に記載された方法では、光センサが受ける外光が非常に強い場合、光の検出値が上限値で固定されてしまうため、外光の影響を適切に除去することができない。そのため、適切な補正を行うことができず、バックライトの発光量を均一かつ一定にすることができないという課題があった。
【０００６】
また、特許文献２に記載された方法では、一つの光センサを用いてバックライトの輝度と外光の強度とを検出する場合に、外光の強度の検出精度が低かった。外光の強度の検出精度が低いと、バックライトの輝度を高い精度で推定できないので、外光の強度が大きい場合における光源の発光量の補正の精度を高めることが困難であった。したがって、外光の影響が大きい環境で液晶表示装置が使用される場合、バックライトの発光量を均一かつ一定に保つことができなくなるという課題があった。
【０００７】
そこで、本発明は上述した点に鑑みてなされたものであり、外光が存在する環境における光源の発光量の補正精度を向上させることができる表示装置及び表示制御方法を提供することを目的とする。
【課題を解決するための手段】
【０００８】
本発明の表示装置は、画像を表示する表示手段と、前記表示手段に照射する照射光を出力する光出力手段と、前記表示手段の背面側に設けられ、入射される光の強度を検出する光検出手段と、前記光出力手段が前記照射光を照射していない間に前記光検出手段が検出した光の強度に基づいて、前記表示手段に入射する外光の強度を特定する外光強度特定手段と、前記外光の強度が外光判定閾値以下である場合に、第１補正方法を用いて前記照射光の強度を補正し、前記外光の強度が、前記外光判定閾値より大きい場合に、前記照射光の強度を補正しないか、又は前記第１補正方法と異なる第２補正方法を用いて前記照射光の強度を補正する補正手段と、を有することを特徴とする。
【０００９】
本発明の照射光制御方法は、画像を表示する表示手段に照射する照射光を照射していない間に、前記表示手段の背面側に設けられ、入射される光の強度を検出する光検出手段が検出した光の強度に基づいて、前記表示手段に入射する外光の強度を特定するステップと、前記外光の強度が外光判定閾値以下である場合に、第１補正方法を用いて前記照射光の強度を補正するステップと、前記外光の強度が前記外光判定閾値より大きい場合、前記照射光の強度を補正しないか、又は前記第１補正方法と異なる第２補正方法を用いて前記照射光の強度を補正するステップと、を有することを特徴とする。
【発明の効果】
【００１０】
本発明によれば、外光が存在する環境における光源の発光量の補正精度を向上させることができるという効果を奏する。
【図面の簡単な説明】
【００１１】
【図１】第１の実施形態に係る表示装置１の構成を示す図である。
【図２】バックライトモジュール１１０のＬＥＤ１１１及び光センサ１１２の配置の一例を示す模式図である。
【図３】初期点灯期間及び目標光センサ値を決定する方法の一例を示すフローチャートである。
【図４】全てのＬＥＤ１１１を点灯させるときの各光源ユニットＵの電流値と点灯期間の一例を示すテーブルである。
【図５】ＬＥＤ１１１の第１の点灯／消灯パターンを示す図である。
【図６】ＬＥＤ１１１の第２の点灯／消灯パターンを示す図である。
【図７】ＬＥＤ１１１の第３の点灯／消灯パターンを示す図である。
【図８】各光源ユニットＵの目標光センサ値を示すテーブルである。
【図９】照射光の強度を制御する方法の一例を示すフローチャートである。
【図１０】各光源ユニットＵに対応する検出光値及び外光値を示すテーブルである。
【図１１】外光判定閾値及び検出光判定閾値の一例を示すテーブルである。
【図１２】検出光値及び外光値と、検出光判定閾値及び外光判定閾値との関係を示す図である。
【図１３】第２の実施形態に係る表示装置２の構成を示す図である。
【図１４】光源特性記憶部２２７に記憶されている調整係数を示すテーブルである。
【図１５】温度と劣化率との関係を示すテーブルである。
【図１６】第２の実施形態における照射光の強度を補正する方法の一例を示すフローチャートである。
【図１７】各光源ユニットＵに対応する検出光値及び外光値を示すテーブルである。
【図１８】外光判定閾値及び検出光判定閾値の一例を示すテーブルである。
【図１９】各光源ユニットＵに対応する検出光値及び外光値を示すテーブルである。
【図２０】各光源ユニットＵが出力する光の検出に用いる光センサ１１２を示すテーブルである。
【図２１】各光源ユニットＵに対応する検出光値及び外光値を示すテーブルである。
【図２２】温度センサ２１３が出力した温度値を示すテーブルである。
【発明を実施するための形態】
【００１２】
＜第１の実施形態＞
［表示装置１の構成］
図１は、第１の実施形態に係る表示装置１の構成を示す図である。表示装置１は、発光装置１００と、液晶パネル１５０とを有する。発光装置１００は、液晶パネル１５０の背面又は側面から光を照射する。液晶パネル１５０は、発光装置１００から照射される光を透過することで画面に画像を表示する表示手段である。なお、液晶パネル１５０は、透過型の液晶パネルに限られず、反射型の液晶表示装置であってもよい。また、液晶パネル１５０は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１３】
第１の実施形態における発光装置１００は、外光の強度を外光判定閾値と比較した結果、及び光センサで検出される検出光の強度を検出光判定閾値と比較した結果に基づいて、外光の影響を除去できないと判断される場合に、光源の発光量、すなわち光源が出力する照射光の強度の補正を停止する。以下、発光装置１００の構成及び動作について詳細に説明する。
【００１４】
発光装置１００は、バックライトモジュール１１０及び制御モジュール１２０を有する。
バックライトモジュール１１０は、複数の光源ユニットＵ（図中、破線で示す）と複数の光センサ１１２とを有する。光源ユニットＵは、発光量を制御可能な光源の最小単位であり、１つの光源ユニットＵは、直列に接続された一以上のＬＥＤ１１１を有する。ＬＥＤ１１１は、液晶パネル１５０に照射する照射光を出力する光出力手段である。
【００１５】
また、光センサ１１２は、液晶パネル１５０の背面側に設けられており、入射される光の強度を検出する光検出手段である。光センサ１１２は、検出した光の強度を示す検出値である光センサ値を出力する。光センサ１１２は、複数の光源ユニットＵに対応する異なる位置に複数設けられており、外光がない状態において、対応する光源ユニットＵのＬＥＤ１１１が出力する照射光の強度を検出することができる。
【００１６】
図２は、バックライトモジュール１１０のＬＥＤ１１１及び光センサ１１２の配置の一例を示す模式図である。バックライトモジュール１１０は、液晶パネル１５０の複数の領域に光を照射する６つの光源ユニットＵ０〜Ｕ５で構成されている。それぞれの光源ユニットＵには、光源として１６個のＬＥＤ１１１が配置されており、この１６個のＬＥＤ１１１は、同一の電流値及び点灯期間（デューティー比）で発光する。また、光源ユニットＵ０〜Ｕ５には、それぞれ光センサ１１２Ａ〜１１２Ｆが設けられている。
【００１７】
制御モジュール１２０は、センサ値取得部１２１、目標光センサ値記憶部１２２、初期点灯期間記憶部１２３、判定条件記憶部１２４、バックライト制御部１２５、及びバックライト駆動部１２６を有する。バックライト制御部１２５は、例えばＣＰＵを有しており、記憶媒体（不図示）に記憶されたプログラムを実行することにより、外光強度特定部１３０、強外光判定部１３１及び照射光強度補正部１３２として機能する。
【００１８】
センサ値取得部１２１は、光センサ１１２が出力する光センサ値を取得する。
目標光センサ値記憶部１２２は、光源ユニットＵのそれぞれの目標光センサ値を記憶しているメモリである。目標光センサ値は、各光源ユニットＵが出力する光の強度が均一になった状態における光センサ１１２の出力値であり、例えば、表示装置１の生産時の調整工程で目標光センサ値記憶部１２２に書き込まれる。
【００１９】
初期点灯期間記憶部１２３は、各光源ユニットＵが出力する光の強度が均一になった状態におけるＬＥＤ１１１の点灯期間を記憶しているメモリである。ＬＥＤ１１１は、照射光強度補正部１３２の制御により、所定の周期で点灯状態と消灯状態とを繰り返す。点灯期間は、所定の周期における点灯状態の期間である。
【００２０】
判定条件記憶部１２４は、外光の影響が強いか否かを判定するための条件である閾値を記憶しているメモリである。本実施形態において、判定条件記憶部１２４は、外光判定閾値及び検出光判定閾値を記憶している。外光判定閾値は、ＬＥＤ１１１が、想定される最大の照射光を出力した場合に光センサ１１２における光の強度の検出値が飽和するときの外光の強度の値である。検出光判定閾値は、光センサ１１２における光の強度の検出値が飽和するときの検出光の強度の値であり、外光判定閾値よりも大きな値である。外光判定閾値及び検出光判定閾値の決定方法については、後述する。
【００２１】
バックライト制御部１２５は、外光強度特定部１３０、強外光判定部１３１及び照射光強度補正部１３２により、センサ値取得部１２１が取得した光センサ１１２の出力値に基づいて、ＬＥＤ１１１が出力する照射光の強度を制御する。
【００２２】
外光強度特定部１３０は、ＬＥＤ１１１が照射光を照射していない間に光センサ１１２が検出した光の強度に基づいて、液晶パネル１５０に入射する外光の強度を特定する。外光強度特定部１３０は、例えば、全ての光源ユニットＵが照射光を照射していない間にセンサ値取得部１２１が取得した、光センサ１１２が検出した光の強度に基づいて、外光の強度を特定する。外光強度特定部１３０は、複数の光センサ１１２が検出した光の強度に基づいて、液晶パネル１５０の複数の領域それぞれにおける外光の強度を特定する。
【００２３】
強外光判定部１３１は、外光強度特定部１３０が特定した外光の強度を、判定条件記憶部１２４が記憶している外光判定閾値と比較することにより、外光が、外光判定閾値より大きな強度を有する強外光であるか否かを判定する。また、強外光判定部１３１は、センサ値取得部１２１が取得した検出光値を判定条件記憶部１２４が記憶している検出光判定閾値と比較することにより、外光が、外光判定閾値より大きな強度を有する強外光である可能性があるか否かを判定する。
【００２４】
照射光強度補正部１３２は、強外光判定部１３１における判定結果に基づいて、ＬＥＤ１１１の点灯期間を調整することにより、ＬＥＤ１１１が出力する照射光の強度を補正する補正手段である。照射光強度補正部１３２は、外光強度特定部１３０が特定した液晶パネル１５０の複数の領域それぞれにおける外光の強度と外光判定閾値との関係に基づいて、複数の光源ユニットＵのそれぞれが出力する照射光の強度を補正する。照射光強度補正部１３２は、外光の強度が外光判定閾値以下である場合に、照射光の強度を補正し、外光の強度が外光判定閾値よりも大きい場合に、照射光の強度を補正しない。
【００２５】
照射光強度補正部１３２は、外光強度特定部１３０が特定した外光の強度が外光判定閾値以下である場合に、光センサ値から外光の強度に対応する値を減算することにより照射光の強度を特定する。そして、照射光強度補正部１３２は、光源ユニットＵごとに、特定した照射光の強度と、目標光センサ値記憶部１２２が記憶している目標光センサ値とを比較する。照射光強度補正部１３２は、光源ユニットＵごとに、比較の結果に応じて、光源ユニットＵの点灯期間を決定する。そして、照射光強度補正部１３２は、それぞれの光源ユニットＵの点灯期間を示す情報をバックライト駆動部１２６へ出力する。
【００２６】
バックライト駆動部１２６は、照射光強度補正部１３２から入力された点灯期間を示す情報に基づく期間においてＬＥＤ１１１を点灯させ、その他の期間においてＬＥＤ１１１を消灯させる。
以下、発光装置１００における各種の制御手順について詳細に説明する。
【００２７】
［初期点灯期間及び目標光センサ値の決定方法］
図３は、初期点灯期間及び目標光センサ値を決定する方法の一例を示すフローチャートである。図３に示す処理は、例えば、表示装置１の生産時の調整工程において実施される。
【００２８】
まず、Ｓ１５０において、バックライト制御部１２５が、バックライト駆動部１２６に対して、所定の電流値と点灯期間で全てのＬＥＤ１１１を点灯させるよう指示する。バックライト駆動部１２６は、バックライト制御部１２５からの指示に応じて、所定の電流値と点灯期間で全てのＬＥＤ１１１を点灯させる。
【００２９】
図４は、全てのＬＥＤ１１１を点灯させるときの各光源ユニットＵの電流値と点灯期間の一例を示すテーブルである。各光源ユニットＵの電流値は、０から１０００までの整数で表される電流制御値により決定され、電流制御値の増加に対して実際に光源ユニットＵに供給される電流値は線形に増加する。例えば、電流制御値が１０００のときには、電流制御値が５００のときの２倍の電流が光源ユニットＵに供給される。電流制御値が０のときには、光源ユニットＵに電流が供給されず、光源ユニットＵは消灯状態となる。図４に示す例では、各光源ユニットＵの電流値が５００に設定されている。
【００３０】
また、各光源ユニットＵの点灯期間は、０から１０００までの整数で表される点灯期間制御値により決定され、点灯期間制御値の増加に対して実際の点灯期間は線形に増加する。例えば、点灯期間制御値が１０００のときには、実際の点灯期間は、点灯期間制御値が５００のときの２倍の点灯期間となる。また、点灯期間制御値が０のときには、実際の点灯期間は０となり、光源ユニットＵは消灯状態となる。図４に示す例では、各光源ユニットＵの点灯期間が５００に設定されている。
【００３１】
なお、電流制御値及び点灯期間制御値の範囲は、上記の値（０〜１０００）に限らない。また、電流制御値の増加に対して実際の電流値が非線形に増加してもよく、電流制御値の増加に対して実際の電流値が低減してもよい。点灯期間制御値と点灯期間との関係についても同様である。
【００３２】
次に、Ｓ１５１において、不図示の外部測定器によって、液晶パネル１５０の画面における輝度ムラが測定される。そして、バックライト制御部１２５が、輝度ムラの測定結果に基づいて、表示領域の輝度が一定かつ均一になるように、各光源ユニットＵの点灯期間を補正するための電流制御値及び点灯期間制御値を決定する。ここで、輝度ムラは、液晶パネル１５０の画面における輝度の期待値に対する測定値の割合により表される。
【００３３】
図４に示すように、光源ユニットＵ０のムラ測定結果が９５％であった場合には、光源ユニットＵ０の発光量を高めるために、調整前の点灯期間に対して延長された点灯期間が初期値に決定される。具体的には、図４の例では、調整前の点灯期間が５００であるため、初期点灯期間は５２６（＝５００×１００／９５）に調整される。このようにすることで、輝度の不足分（５％）が補完される。
【００３４】
Ｓ１５２において、バックライト制御部１２５が、上記のようにして決定した初期点灯期間を、光源ユニットＵに関連付けて初期点灯期間記憶部１２３に記憶させる。
なお、上記の説明においては、バックライト制御部１２５が、電流値を５００に固定して点灯期間のみを調整する場合について説明したが、点灯期間と電流値の両方を調整し、調整後の点灯期間と調整後の電流値を初期点灯期間記憶部１２３に記憶させてもよい。その場合、初期状態において、光源ユニットＵは、調整後の点灯期間と調整後の電流値で点灯する。また、バックライト制御部１２５は、電流値のみを調整し、調整後の電流値を初期点灯期間記憶部１２３に記憶してもよい。その場合、初期状態において、光源ユニットＵは、調整後の電流値と所定の点灯期間で点灯する。
【００３５】
次に、Ｓ１５３において、バックライト制御部１２５が、特定の光源ユニットＵだけを発光させるように、バックライト駆動部１２６に指示する。例えば、各光源ユニットＵが、図５に示すように発光制御期間内で点灯及び消灯を繰り返すとする。バックライト駆動部１２６は、バックライト制御部１２５から光源ユニットＵ０だけが点灯する期間を作り出す指示を受けた場合、図６に示すように、各光源ユニットＵの点灯期間を調整し、一時的に光源ユニットＵ０だけが点灯する期間を作り出す。このとき、バックライト駆動部１２６は、バックライト制御部１２５に対して、光源ユニットＵ０だけが点灯する期間を作り出したことを通知する。
【００３６】
バックライト駆動部１２６が、特定の光源ユニットＵだけが点灯する期間が作られたことをバックライト制御部１２５に通知すると、Ｓ１５４に処理が進められる。Ｓ１５４では、バックライト制御部１２５が、センサ値取得部１２１に対して、点灯状態にされた特定の光源ユニットＵに設けられた光センサ１１２から、特定の光源ユニットＵのＬＥＤ１１１が照射光を出力している間に光センサ１１２に入射した光の強度に対応する光センサ値を取得するよう指示する。センサ値取得部１２１は、特定の光源ユニットＵに設けられた光センサ１１２から光センサ値を取得する。特定の光源ユニットＵが点灯した状態で取得される光センサ値を、以下の説明においては「検出光値」と呼ぶ。
【００３７】
次に、Ｓ１５５において、バックライト制御部１２５は、全ての光源ユニットＵが消灯する期間を作り出すよう、バックライト駆動部１２６に指示する。バックライト駆動部１２６は、バックライト制御部１２５から全ての光源ユニットＵが消灯する期間を作り出す指示を受けた場合、図７に示すように、一時的に光源ユニットＵの点灯期間を調整し、全ての光源ユニットＵが消灯する期間を作り出す。このとき、バックライト駆動部１２６は、バックライト制御部１２５に対して、全ての光源ユニットＵが消灯する期間を作り出したことを通知する。
【００３８】
バックライト駆動部１２６が、全ての光源ユニットＵが消灯する期間が作られたことをバックライト制御部１２５に通知すると、Ｓ１５６に処理が進められる。Ｓ１５６では、バックライト制御部１２５が、センサ値取得部１２１に対して、Ｓ１５４において光センサ値を取得した特定の光源ユニットＵの光センサ値を取得するよう指示する。センサ値取得部１２１は、特定の光源ユニットＵに設けられた光センサ１１２から光センサ値を取得する。全ての光源ユニットＵが消灯した状態で取得された光センサ値は、外光の強度に対応するので、以下の説明においては、この光センサ値を「外光値」と呼ぶ。
【００３９】
なお、バックライト制御部１２５は、上記Ｓ１５３及びＳ１５５において、センサ値取得部１２１に光センサ値を複数回取得させ、取得された複数の光センサ値の代表値（平均値、最頻値、中間値等）を用いてもよい。バックライト制御部１２５は、光センサ１１２から光センサ値を取得する処理をセンサ値取得部１２１に１回だけ行わせ、取得された光センサ値にノイズを低減するフィルタ処理を施し、フィルタ処理後の光センサ値を用いてもよい。
【００４０】
次に、Ｓ１５７において、バックライト制御部１２５は、Ｓ１５４及びＳ１５６で取得された検出光値及び外光値に基づいて、光源ユニットＵから出力される照射光の強度を示す発光値を算出する。バックライト制御部１２５は、検出光値から外光値を減算することにより、発光値を算出することができる。
【００４１】
次に、Ｓ１５８において、バックライト制御部１２５は、算出した発光値を目標光センサ値として目標光センサ値記憶部１２２に記憶させる。そして、Ｓ１５９において、バックライト制御部１２５は、全ての光源ユニットＵの目標光センサ値を目標光センサ値記憶部１２２に記憶させたか否かを判定する。全ての光源ユニットＵの目標光センサ値を目標光センサ値記憶部１２２に記憶させた場合には、本処理フローを終了する。
【００４２】
バックライト制御部１２５は、目標光センサ値が記憶されていない光源ユニットＵが存在する場合には、目標光センサ値が記憶されていない光源ユニットＵを上記の特定の光源ユニットＵとして設定し、Ｓ１５３に処理が戻される。バックライト制御部１２５は、全ての光源ユニットＵに対してＳ１５３からＳ１５８までの手順を繰り返すことにより、全ての光源ユニットＵの目標光センサ値を目標光センサ値記憶部１２２に記憶させる。図８は、このようにして目標光センサ値記憶部１２２に記憶された目標光センサ値の例を示すテーブルである。
【００４３】
［照射光強度の制御方法］
続いて、図９を参照しながら、バックライト制御部１２５が、液晶パネル１５０に入射している光が強外光であるか否かを判定し、判定した結果に基づいて光源ユニットＵが出力する照射光の強度を制御する方法について説明する。
【００４４】
図９は、バックライト制御部１２５が、入射光が強外光であるか否かを判定する方法、及び判定結果に応じて照射光の強度を制御する方法の一例を示すフローチャートである。バックライト制御部１２５は、図９に示す処理フローを、例えば、ユーザが表示装置１を使用する期間において、所定の時間ごとに実施する。所定の時間は、温度変化等により著しく発光量が変化しない時間であり、例えば１０秒である。なお、バックライト制御部１２５が図９の処理フローを実施するタイミングは上記のタイミングに限らない。バックライト制御部１２５は、例えば、ユーザから発光量を補正する指示があったことをトリガとして、図９の処理フローを実施してもよい。
【００４５】
まず、バックライト制御部１２５は、Ｓ１７０からＳ１７４までの処理により、各光源ユニットＵに対応する検出光値及び外光値を取得する。Ｓ１７０において、バックライト制御部１２５は、特定の光源ユニットＵだけが点灯する期間を作り出すように、バックライト駆動部１２６に指示する。バックライト駆動部１２６は、バックライト制御部１２５からの指示に応じて、特定の光源ユニットＵだけが発光する期間を作り出し、バックライト制御部１２５に対して、特定の光源ユニットＵだけが発光する期間を作り出したことを通知する。
【００４６】
バックライト制御部１２５は、特定の光源ユニットＵだけが点灯する期間が作られたことがバックライト駆動部１２６から通知されると、Ｓ１７１に処理を進める。Ｓ１７１では、バックライト制御部１２５は、センサ値取得部１２１に対して、特定の光源ユニットＵの光センサ値を取得するように指示する。センサ値取得部１２１は、特定の光源ユニットＵに対応する光センサ１１２が出力する光センサ値を、検出光値として取得する。
【００４７】
次に、Ｓ１７２において、バックライト制御部１２５は、全ての光源ユニットＵが消灯する期間を作り出すように、バックライト駆動部１２６に指示する。バックライト駆動部１２６は、バックライト制御部１２５からの指示に応じて、全ての光源ユニットＵが消灯する期間を作り出し、バックライト制御部１２５に対して、全ての光源ユニットＵが消灯する期間を作り出したことを通知する。
【００４８】
バックライト制御部１２５は、全ての光源ユニットＵだけが消灯する期間が作られたことがバックライト駆動部１２６から通知されると、Ｓ１７３に処理を進める。Ｓ１７３では、バックライト制御部１２５が、センサ値取得部１２１に対して、特定の光源ユニットＵに対応する光センサ１１２が出力する光センサ値を取得するように指示する。外光強度特定部１３０は、センサ値取得部１２１を介して取得した、特定の光源ユニットＵに対応する光センサ１１２が出力する光センサ値を、外光値であると特定する。このようにすることで、外光強度特定部１３０は、高い精度で外光の強度を特定することができる。
【００４９】
Ｓ１７４において、バックライト制御部１２５は、全ての光源ユニットＵの検出光値及び外光値の取得が完了したか否かを判定する。バックライト制御部１２５は、全ての光源ユニットＵの検出光値及び外光値の取得が終わっていないと判定した場合、取得が終わっていない光源ユニットＵを特定の光源ユニットＵとして設定し、Ｓ１７０に処理を戻す。バックライト制御部１２５は、全ての光源ユニットＵの取得が終わったと判定した場合、次のＳ１７５に遷移する。図１０は、上記の手順により取得された各光源ユニットＵに対応する検出光値及び外光値を示すテーブルである。
【００５０】
続いて、バックライト制御部１２５は、Ｓ１７５からＳ１７７の処理により、光センサ１１２への外光の影響が大きい状態であるか否かを判定する。バックライト制御部１２５は、判定条件記憶部１２４に記憶された外光判定閾値及び検出光判定閾値を用いて、例えば、ＬＥＤ１１１が、想定される最大の照射光を出力した場合に光センサ１１２における光の強度の検出値が飽和する程度に外光の影響が大きいか否かを判定する。
【００５１】
図１１は、外光判定閾値及び検出光判定閾値の一例を示すテーブルである。ここで、外光判定閾値及び検出光判定閾値の決定方法について説明する。
まず、外光判定閾値の決定方法について説明する。外光判定閾値は、ＬＥＤ１１１の個体差又は温度変化によりＬＥＤ１１１の発光量が最大になった状況、及び光センサ値にノイズが含まれる状況においても、光センサ１１２における光センサ値が飽和しない外光値に設定される。具体的には、ＬＥＤ１１１の発光値が３００〜７００の範囲で変化し、ノイズの影響が最大で５０あるとき、外光判定閾値は２５０（＝１０００−７００−５０）に設定される。
【００５２】
次に、検出光判定閾値の決定方法について説明する。検出光判定閾値は、ＬＥＤ１１１の個体差又は温度変化によりＬＥＤ１１１の発光値が最大になった状況、及び光センサ値にノイズが含まれる状況においても、光センサ１１２における光センサ値が飽和しない検出光値に設定される。具体的には、ＬＥＤ１１１の発光値が３００〜７００の範囲で変化し、ノイズの影響が最大５０あるとき、検出光判定閾値は９５０（＝１０００−５０）に設定される。
【００５３】
図１２は、検出光値及び外光値と、検出光判定閾値及び外光判定閾値との関係を示す図である。図１２（ａ）においては、検出光値が検出光判定閾値よりも小さく、外光値が外光判定閾値よりも小さいので、外光が弱い状態に対応する。図１２（ｂ）においては、検出光値が検出光判定閾値よりも小さいが、外光値が外光判定閾値以上であるので、外光が強い状態に対応する。図１２（ｃ）においては、外光値が外光判定閾値よりも小さいが、検出光値が検出光判定閾値以上であるので、外光が強い状態又はＬＥＤ１１１が故障している状態に対応する。
【００５４】
Ｓ１７５において、バックライト制御部１２５は、強外光判定部１３１において、Ｓ１７０からＳ１７４で取得した各光源ユニットＵの外光値に基づいて、外光の影響が強い状態であるか否かを判定する。具体的には、バックライト制御部１２５は、判定条件記憶部１２４から、判定条件として外光判定閾値を取得し、各光源ユニットＵの外光値と比較する。バックライト制御部１２５は、外光値の全てが外光判定閾値より小さい場合、Ｓ１７６に処理を移す。一方、バックライト制御部１２５は、外光値の少なくとも１つが外光判定閾値以上である場合、光源ユニットＵが出力する照射光の強度を制御せず、本処理フローを終了する。
【００５５】
次に、Ｓ１７６において、バックライト制御部１２５は、強外光判定部１３１において、Ｓ１７０からＳ１７４で取得した各光源ユニットＵの検出光値に基づいて、外光の影響が強い状態であるか否かを判定する。具体的には、バックライト制御部１２５は、判定条件記憶部１２４から、判定条件として検出光判定閾値を取得し、各光源ユニットＵの検出光値と比較する。バックライト制御部１２５は、検出光値の全てが検出光判定閾値より小さい場合、Ｓ１７８に処理を移す。
【００５６】
一方、バックライト制御部１２５は、光センサ値の少なくとも１つが検出光判定閾値以上である場合、光源ユニットＵが出力する照射光の強度を制御する処理は行わず、Ｓ１７７に処理を移す。バックライト制御部１２５は、検出光値が検出光判定閾値より大きい異常値である場合、外光が強いことにより発光状態が変化したのか、ＬＥＤ１１１が故障したことにより発光状態が変化したのかを区別できないので、Ｓ１７７において、光センサ値に異常が発生したことを示す情報を出力する。バックライト制御部１２５は、表示パネルへの描画を制御する回路（不図示）を介して、異常が発生したことをディスプレイに表示してもよく、電源ランプの発光色や点灯状態を変えることで異常の発生をユーザに通知してもよい。
【００５７】
このように、バックライト制御部１２５は、Ｓ１７５において、外光の強度が外光判定閾値以下であると判定し、かつ、Ｓ１７６において、光源ユニットＵが照射光を出力している間に光センサ１１２が検出した光の強度が、光センサ１１２における光の強度の検出値が飽和する検出光判定閾値以下である場合に、Ｓ１７８からＳ１８２までの処理を実行することにより、各光源ユニットＵが出力する照射光の強度を補正する。また、バックライト制御部１２５は、光センサ１１２が検出した光の強度が検出光判定閾値よりも大きい場合に光源ユニットＵが出力する照射光の強度を補正しない。
【００５８】
以下、光源ユニットＵ０を制御する場合について詳しく述べる。まず、Ｓ１７８において、バックライト制御部１２５は、目標光センサ値記憶部１２２から各光源ユニットＵの目標光センサ値を取得する。目標光センサ値はＳ１５０からＳ１５９までの処理により、図８に示すように設定されており、光源ユニットＵ０の目標光センサ値は５００である。
【００５９】
次に、Ｓ１７９において、バックライト制御部１２５は、照射光強度補正部１３２において、検出光値から外光値を減算することにより発光値を算出する。検出光値及び外光値はＳ１７０からＳ１７４までの処理により、図１０に示すように設定されているため、バックライト制御部１２５は、光源ユニットＵ０の発光値を４００（＝４５０−５０）と算出する。
【００６０】
次に、Ｓ１８０において、バックライト制御部１２５は、初期点灯期間記憶部１２３から各光源ユニットＵの初期点灯期間を取得する。初期点灯期間は、Ｓ１５０〜Ｓ１５９の処理により、図４に示すように設定されているため、光源ユニットＵ０の初期点灯期間は５２６である。
【００６１】
次に、Ｓ１８１において、バックライト制御部１２５は、照射光強度補正部１３２において、調整後の点灯期間を算出する。光源ユニットＵ０の目標光センサ値が５００、算出した発光値が４００、初期点灯期間が５２６であることから、バックライト制御部１２５は、点灯期間を６５８（＝５２６×５００／４００）と算出する。そして、バックライト制御部１２５は、算出した光源ユニットの点灯期間をバックライト駆動部１２６へ出力し、バックライト駆動部１２６は、指定された点灯期間に基づいてバックライトを発光させる。
【００６２】
次に、Ｓ１８２において、バックライト制御部１２５は、全ての光源ユニットＵの点灯期間の調整が完了したか否かを判定する。バックライト制御部１２５は、調整が終わっていないと判定した場合、調整が終わっていない光源ユニットＵを上記の特定の光源ユニットＵとして設定し、Ｓ１７８に処理を戻す。バックライト制御部１２５は、全ての光源ユニットＵの点灯期間の調整が終わったと判定した場合、本処理フローを終了する。
【００６３】
［第１の実施形態における効果］
以上説明したように、本実施形態に係る表示装置１において、外光強度特定部１３０は、ＬＥＤ１１１が照射光を照射していない間に光センサ１１２が検出した光の強度に基づいて、液晶パネル１５０に入射する外光の強度を特定する。そして、バックライト制御部１２５は、外光の影響が、ＬＥＤ１１１が最大の照射光を出力した場合に光センサ１１２における光の強度の検出値が飽和する程度に大きいか否かを判定する。このようにすることで、表示装置１は、図１２（ａ）に示すように、外光の影響がありながらも過度の影響がない場合、高い精度で特定した外光の強度に基づいて、ＬＥＤ１１１が出力する照射光の強度のフィードバック制御を行うことができる。また、表示装置１は、図１２の図中（ｂ）、（ｃ）に示すように、外光の影響によりセンサ検出値が飽和するような場合には、バックライトの発光量に誤った補正をかけないので、ＬＥＤ１１１が出力する照射光の強度を適切な範囲に維持することができる。
【００６４】
なお、上記の説明において、光源ユニットＵが一以上のＬＥＤ１１１を有する例について説明したが、光源ユニットＵが、冷陰極管等の他の発光デバイスを有してもよい。また、上記の説明においては、バックライト制御部１２５が、光源ユニットＵの点灯期間を変更することで光源ユニットＵが出力する照射光の強度を制御する例について説明したが、バックライト制御部１２５は、光源ユニットＵに供給する電流値を変更することで光源ユニットＵの発光輝度を変更してもよい。また、上記の説明においては、外光の影響が大きい状態であるか否かを判定するために、バックライト制御部１２５が、検出光判定閾値及び外光判定閾値を用いる場合について説明したが、検出光判定閾値及び外光判定閾値のどちらか一方だけを用いてもよい。
【００６５】
＜第２の実施形態＞
［表示装置２の構成］
図１３は、第２の実施形態に係る表示装置２の構成を示す図である。第２の実施形態に係る表示装置２は、特定した外光の強度が外光判定閾値以下である場合に、第１の実施形態で用いられた第１補正方法を用いて照射光の強度を補正する。表示装置２は、外光の強度が外光判定閾値より大きく、光センサ１１２が出力する光センサ値に与える外光の影響が大きい場合に、第１補正方法と異なる第２補正方法を用いて照射光の強度を補正する点で、第１の実施形態に係る表示装置１と異なる。例えば、表示装置２は、第２補正方法において、光センサ１１２以外の手段により光源ユニットＵが出力する照射光の強度を推定し、推定した結果に基づいて照射光の強度を制御する。なお、図１３において、第１の実施形態に係る図１に示した機能部と同一の機能部には、図１と同一の符号を付している。
【００６６】
図１３に示す表示装置２は、発光装置２００及び液晶パネル１５０を有する。発光装置２００は、バックライトモジュール２１０と制御モジュール２２０を有する。バックライトモジュール２１０は、図１に示したバックライトモジュール１１０の構成に加えて、温度センサ２１３をさらに有する。温度センサ２１３は光センサ１１２の近傍に設けられており、各光源ユニットＵの温度を検出することができる。
【００６７】
制御モジュール２２０は、センサ値取得部２２１と、目標光センサ値記憶部１２２と、初期点灯期間記憶部１２３と、判定条件記憶部２２４と、バックライト制御部２２５と、バックライト駆動部１２６と、光源特性記憶部２２７とを有する。センサ値取得部２２１、判定条件記憶部２２４及びバックライト制御部２２５は、それぞれセンサ値取得部１２１、判定条件記憶部１２４及びバックライト制御部１２５に対応している。バックライト制御部２２５は、外光強度特定部２３０と、強外光判定部２３１と、照射光強度補正部２３２と、発光値推定部２３３とを有する。外光強度特定部２３０、強外光判定部２３１及び照射光強度補正部２３２は、外光強度特定部１３０、強外光判定部１３１及び照射光強度補正部１３２に対応しており、以下の説明においては、差分を中心に説明する。また、発光値推定部２３３の詳細については、後述する。
【００６８】
光源特性記憶部２２７には、各光源ユニットＵが出力する照射光の強度を、各光センサ１１２を用いて検出する場合の、各光センサ１１２の感度に対応する調整係数が記憶されている。図１４は、光源特性記憶部２２７に記憶されている調整係数を示すテーブルである。図２に示したように、バックライトモジュール２１０は、光センサ１１２として光センサ１１２Ａ〜１１２Ｆを有しており、調整係数は、光源ユニットＵと光センサ１１２との距離が大きくなるほど大きな値になっている。調整係数は、バックライト制御部２２５が、第２補正方法において、光源ユニットＵに対応する最も近い光センサ１１２以外の光センサ１１２を用いて光源ユニットＵが出力する照射光の強度を制御する際に用いられる。
【００６９】
光源特性記憶部２２７は、光源ユニットＵの温度と、劣化率との関係を示すテーブルも記憶している。劣化率は、温度が２５℃である場合の光源ユニットＵの発光値に対する、発光量の低下割合である。図１５は、温度と劣化率との関係を示すテーブルである。図１５に示すテーブルは、発光値推定部２３３が、温度センサ２１３から取得した温度値に基づいて照射光の強度を推定する際に用いられる。
【００７０】
初期点灯期間及び目標光センサ値の決定方法は、第１の実施形態と同様であるため、説明は省略する。なお、本実施形態における初期点灯期間及び目標光センサ値は、第１の実施形態における図４及び図８と同じであるとする。
【００７１】
［照射光強度の制御方法］
続いて、図１６を参照しながら、本実施形態に係る発光装置２００において強外光を判定する方法、及び判定結果に応じて照射光の強度を補正する方法について説明する。図１６は、発光装置２００が強外光を判定する方法、及び判定結果に応じた補正方法を用いて照射光の強度を補正する方法の一例を示すフローチャートである。図１６の処理フローは、例えばユーザが表示装置２を使用する期間において、一定時間ごとに実施される。本実施形態に係るバックライト制御部２２５における照射光強度補正部２３２は、図１６の処理フローに示すように、外光の強度が外光判定閾値以下である場合に、第１補正方法を用いて照射光の強度を補正し、外光の強度が、外光判定閾値より大きい場合に、第１補正方法と異なる第２補正方法を用いて照射光の強度を補正する。
【００７２】
まず、Ｓ２７０からＳ２７２の処理により、バックライト制御部２２５が、各光源ユニットＵが出力する照射光の強度を補正する方法について説明する。
Ｓ２７０において、バックライト制御部２２５は、全ての光源ユニットＵに対応する検出光値及び外光値を取得する。具体的には、バックライト制御部２２５は、図９におけるＳ１７０からＳ１７４までの処理を実行する。本実施形態においては、バックライト制御部２２５が取得した検出光値及び外光値は、図１７に示す通りであるとする。
【００７３】
次に、Ｓ２７１において、バックライト制御部２２５は、強外光判定部２３１において、Ｓ２７０で取得した外光値に基づいて、外光の影響が強い状態であるか否かを判定する。まず、バックライト制御部２２５は、判定条件記憶部２２４から外光判定閾値を取得する。ここで、判定条件記憶部２２４には、図１８に示すような、外光値と比較することで外光の影響が強いか否かを判定するための外光判定閾値が記憶されている。これは第１の実施形態における外光判定閾値と同じ値であるものとする。
【００７４】
次に、バックライト制御部２２５は、外光判定閾値と、Ｓ２７０で取得した各光源ユニットＵの外光値とを比較する。各光源ユニットＵの外光値の全てが外光判定閾値以下である場合、バックライト制御部２２５は、Ｓ２７２に処理を移し、光源ユニットＵの点灯期間を調整する処理（図９におけるＳ１７８からＳ１８２までと同様の処理）を実行して、本処理フローを終了する。一方、外光値の少なくとも１つが外光判定閾値より大きい場合、バックライト制御部２２５は、Ｓ２７３に処理を移す。
【００７５】
（光センサの感度を変更する）
次に、外光の強度が過度に大きく、光センサ値が飽和する場合に、バックライト制御部２２５が、Ｓ２７３からＳ２７８の処理を第２補正方法として用いることにより、光センサの感度を下げて各光源ユニットＵが出力する照射光の強度を制御する方法について説明する。バックライト制御部２２５は、外光の強度と外光判定閾値との関係に基づいて、光センサ１１２の感度を制御し、制御した感度における光センサ１１２の光センサ値に基づいて、照射光の強度を補正する。
【００７６】
Ｓ２７３において、バックライト制御部２２５は、外光の影響を強く受けている光センサ１１２の感度を下げるように、センサ値取得部２２１に指示する。センサ値取得部２２１は、光センサ１１２の感度を下げる処理を行う。本実施形態では、バックライト制御部２２５は、光センサ１１２の感度を１／２に変更するものとする。これにより、例えば、感度を変更する前の光センサ値が飽和してしまう１２００相当の発光量である場合であっても、センサ値取得部２２１は、１／２の６００の光センサ値を取得できるようになる。なお、バックライト制御部２２５は、光センサ値が飽和している光センサ１１２の感度のみを選択的に変更してもよいが、全ての光センサ１１２の感度を変更してもよい。
【００７７】
次に、Ｓ２７４において、バックライト制御部２２５は、全ての光源ユニットＵの検出光値及び外光値を再取得する。具体的には、バックライト制御部２２５は、図９におけるＳ１７０からＳ１７４に示す処理を実行する。図１９は、ここで得られた検出光値及び外光値を示す。
【００７８】
次に、Ｓ２７５において、バックライト制御部２２５は、強外光判定部２３１が、Ｓ２７４において取得した各光源ユニットＵの外光値に基づいて、外光の影響が強い状態であるか否かを判定する。判定条件記憶部２２４には、図１８に示すような、光センサ１１２の感度を下げたときに外光の影響が強いか否かを判定するための検出光判定閾値が記憶されている。
【００７９】
ここで、光センサ１１２の感度を下げた場合の検出光判定閾値の決定方法について説明する。検出光判定閾値は、ＬＥＤ１１１の個体差又は温度変化によりＬＥＤ１１１の発光値が最大になった状況、及び光センサ値にノイズが含まれる状況においても、感度を下げた状態の光センサ１１２における光センサ値が飽和しない検出光値に設定される。具体的には、ＬＥＤ１１１の発光値が、感度を下げた状態で１５０〜３５０の範囲で変化し、ノイズの影響が最大で５０あるとき、検出光判定閾値は６００（＝１０００−３５０−５０）に設定される。
【００８０】
バックライト制御部２２５は、判定条件記憶部２２４から検出光判定閾値を取得し、各光源ユニットＵに対応する検出光値と比較する。検出光値の全てが検出光判定閾値以下である場合、判定条件記憶部２２４はＳ２７６に処理を移す。一方、検出光値の少なくとも１つが検出光判定閾値より大きい場合、判定条件記憶部２２４はＳ２７９に処理を移す。
【００８１】
次に、Ｓ２７６において、バックライト制御部２２５は、目標光センサ値記憶部１２２から、各光源ユニットＵの目標光センサ値を取得する。以下、バックライト制御部２２５が、光源ユニットＵ０が出力する照射光を制御する場合を例にして説明する。各光源ユニットＵの目標光センサ値は、図８に示すように設定されているため、光源ユニットＵ０の目標光センサ値は５００である。
【００８２】
次に、Ｓ２７７において、バックライト制御部２２５は、取得した目標光センサ値に対して、光センサ１１２の感度を下げたことによる調整を行う。本実施形態では、バックライト制御部２２５が、光センサ１１２の感度を１／２倍に設定したため、光源ユニットＵ０の目標光センサ値は２５０（＝５００／２）と算出される。
【００８３】
次に、Ｓ２７８において、バックライト制御部２２５は、光源ユニットＵのそれぞれの照射光の強度を制御する。まず、バックライト制御部２２５は、照射光強度補正部２３２において、検出光値から外光値を除いた発光値を算出する。このとき、バックライト制御部２２５は、光源ユニットＵ０の発光値を２００（＝６００−４００）と算出する。
【００８４】
次に、バックライト制御部２２５は、初期点灯期間記憶部１２３から各光源ユニットＵのそれぞれに対応する初期点灯期間を取得する。初期点灯期間は図４に示すように設定されているため、光源ユニットＵ０の初期点灯期間は５２６である。
【００８５】
次に、バックライト制御部２２５は、照射光強度補正部２３２において、調整後の点灯期間を算出する。光源ユニットＵ０の光センサの感度を下げた状態での目標光センサ値は２５０、発光値は２００、初期点灯期間は５２６であるから、バックライト制御部２２５は、点灯期間を６５８（＝５２６×２５０／２００）と算出する。そして、バックライト制御部２２５は、算出した光源ユニットＵ０の点灯期間をバックライト駆動部１２６に出力し、バックライト駆動部１２６は指定された点灯期間に基づいて光源ユニットＵ０を発光させる。
【００８６】
（使用する光センサを変更する）
次に、Ｓ２７５において、検出光値が検出光判定閾値より大きい場合に、バックライト制御部２２５が、Ｓ２７９からＳ２８４の処理を第２補正方法として用いることにより、照射光を検出する光センサ１１２を変更して、各光源ユニットＵが出力する照射光の強度を制御する方法について説明する。バックライト制御部２２５は、外光値が外光判定閾値より大きい場合、又は検出光値が検出光判定閾値より大きい場合に、外光の強度の特定に用いる光センサ１１２を変更することができる。
【００８７】
まず、Ｓ２７９において、バックライト制御部２２５は、Ｓ２７４で検出した検出光値及び外光値に基づいて、照射光の強度を測定可能な光センサ１１２があるか否かを判定する。具体的には、バックライト制御部２２５は、検出光値及び外光値が飽和していない光源ユニットＵの有無を判定する。例えば、Ｓ２７４で取得した検出光値及び外光値が図１９に示すようであった場合、バックライト制御部２２５は、光源ユニットＵ２及び光源ユニットＵ５の２つが検出光値及び外光値が飽和しておらず、この２つの光源ユニットＵの光センサ１１２における外光の影響が小さいと判断する。一方、全ての光源ユニットＵの検出光値または外光値が飽和している場合、判定条件記憶部２２４は、Ｓ２８５に処理を移す。
【００８８】
次に、Ｓ２８０において、バックライト制御部２２５は、検出光値または外光値が飽和している光源ユニットＵに対して、照射光の検出に用いる光センサ１１２を変更するように、センサ値取得部２２１に指示する。センサ値取得部２２１は、各光源ユニットＵの照射光を検出する光センサ１１２を変更する。図２０は、本実施形態における、変更前及び変更後の光センサ１１２を示すテーブルである。
【００８９】
次に、Ｓ２８１において、バックライト制御部２２５は、全ての光源ユニットＵの検出光値及び外光値を再取得する。図２１は、ここで得られた検出光値及び外光値を示すテーブルである。
【００９０】
次に、Ｓ２８２において、バックライト制御部２２５は、目標光センサ値記憶部１２２から各光源ユニットＵの目標光センサ値を取得する。以下、バックライト制御部２２５が光源ユニットＵ０を制御する場合を例にして説明する。目標光センサ値は図８に示すように設定されているため、光源ユニットＵ０の目標光センサ値は５００である。
【００９１】
次に、Ｓ２８３において、バックライト制御部２２５は、光源特性記憶部２２７に記憶された調整係数を用いて、取得した目標光センサ値に対して、センサの感度を下げたことによる調整、及び検出する光センサを変更したことによる調整を行う。本実施形態では、センサの感度は１／２に設定されている。
ここで、光源ユニットＵ０の発光値が光センサ１１２Ｃで検出される場合、図１４に示すテーブルによれば、調整係数が４．０である。これにより、バックライト制御部２２５は、目標光センサ値を６３（＝５００／２／４．０）と算出する。
【００９２】
次に、Ｓ２８４において、バックライト制御部２２５は、光源ユニットＵそれぞれが出力する照射光の強度を制御する。まず、バックライト制御部２２５は、照射光強度補正部２３２において、検出光値から外光値を除いた発光値を算出する。このとき光源ユニットＵ０の発光値は５０（＝５４５−４９５）と算出される。次に、バックライト制御部２２５は、初期点灯期間記憶部１２３から各光源ユニットＵの初期点灯期間を取得する。初期点灯期間は、図４に示すように設定されているため、光源ユニットＵ０の初期点灯期間は５２６である。
【００９３】
次に、バックライト制御部２２５は、照射光強度補正部２３２において、調整後の点灯期間を算出する。バックライト制御部２２５は、光源ユニットＵ０に対応する光センサ１１２Ｃの感度を下げており、かつ光センサ１１２Ｃで照射光を検出したときの目標光センサ値が６３、発光値が５０、初期点灯期間が５２６であるから、点灯期間を６６３（＝５２６×６３／５０）と算出する。そして、バックライト制御部２２５は、算出した光源ユニットＵ０の点灯期間をバックライト駆動部１２６に出力し、バックライト駆動部１２６は指定された点灯期間に基づいて光源ユニットＵ０を発光させる。
【００９４】
（温度センサを使用する）
次に、Ｓ２７９において、照射光の強度を測定可能な光センサ１１２が存在しない場合に、バックライト制御部２２５が、Ｓ２８５からＳ２８７の処理を第２補正方法として用いる場合について説明する。Ｓ２８５からＳ２８７の処理において、バックライト制御部２２５は、発光値推定部２３３が推定した、光源ユニットＵの発光量に基づいて、照射光の強度を補正する。発光値推定部２３３は、例えば、光センサ１１２の近傍に設けられた温度センサ２１３が出力する温度に基づいて、発光量を推定する。
【００９５】
まず、Ｓ２８５において、バックライト制御部２２５は、センサ値取得部２２１を介して、各光源ユニットＵの温度値を取得する。温度センサ２１３は、摂氏−１００．０℃〜１００．０℃までに対応する温度値を出力できるものとする。図２２は、温度センサ２１３が出力した温度値を示すテーブルである。
【００９６】
次に、Ｓ２８６において、バックライト制御部２２５は、発光値推定部２３３において、温度センサ２１３から取得した温度値に基づいて照射光の強度を推定する。発光値推定部２３３は、図１５に示すテーブルを参照することにより、温度値に対応する劣化率に基づいて、光源ユニットＵが出力する照射光の強度を推定することができる。
【００９７】
バックライト制御部２２５は、照射光強度補正部２３２において、外光の強度が外光判定閾値より大きい場合に、発光値推定部２３３における照射光の強度の推定値に基づいて、光源ユニットＵが出力する照射光の強度を補正する。例えば、光源ユニットＵ０の温度が６０．０℃である場合、劣化率は２５．０％である。これにより、バックライト制御部２２５は、点灯期間を６５８（＝５２６×１．２５）と算出し、算出した点灯期間により光源ユニットＵ０を発光させる。バックライト制御部２２５は、全ての光源ユニットＵの点灯期間の調整が終わると、本処理フローを終了する。
【００９８】
なお、図１６のフローチャートにおいては、バックライト制御部２２５は、外光の強度が外光判定閾値より大きく、かつ検出光の強度が検出光判定閾値より大きい場合に、第２補正方法を用いて照射光を補正したが、これに限らない。バックライト制御部２２５は、外光の強度が外光判定閾値以下であり、かつ検出光の強度が検出光判定閾値より大きい場合に、第２補正方法を用いて照射光を補正してもよい。また、この場合に、バックライト制御部２２５は、異常が発生したことを示す異常情報を出力してもよい。
【００９９】
また、上記の第２補正方法においては、光センサの感度の変更処理、使用する光センサの変更処理、及び温度センサに基づく発光量の推定処理は、単独で実行されてもよく、これらの一部が実行されてもよい。
【０１００】
［第２の実施形態における効果］
以上説明したように、本実施形態に係る表示装置２において、判定条件記憶部２２４は、外光の影響が、ＬＥＤ１１１が最大の照射光を出力した場合に光センサ１１２における光の強度の検出値が飽和する程度に大きいか否かを判定する。そして、判定条件記憶部２２４は、外光の影響が大きいと判定した場合、外光の影響が小さいと判定した場合と異なる方法を用いて、光源ユニットＵが出力する照射光の強度を補正する。このようにすることで、外光の影響が大きい場合であっても、光源ユニットＵが適切な強度で発光することが可能になる。
【０１０１】
なお、本実施形態では、外光が強く、光センサ１１２で発光量を検出できないときに、発光値推定部２３３が、温度センサを用いて発光量を推定して制御する方法について説明したが、発光値推定部２３３は、光源ユニットＵの累積使用時間又は累積発光時間を計測した結果に基づいて、発光量を推定してもよい。また、発光値推定部２３３は、表示装置２が使用されている間における光源ユニットＵの使用状況（輝度設定及び発光パターン等）、並びに設置環境（周囲環境温度及び設置時の傾き等）に基づいて発光量を推定してもよい。また、発光値推定部２３３は、これらの組み合わせによって発光量を推定してもよい。
【０１０２】
以上、本発明を実施の形態を用いて説明したが、本発明の技術的範囲は上記実施の形態に記載の範囲には限定されず、その要旨の範囲内で種々の変形及び変更が可能である。
【符号の説明】
【０１０３】
１  表示装置
１１１  ＬＥＤ
１１２  光センサ
１２５  バックライト制御部
１３０  外光強度特定部
１３２  照射光強度補正部
【図１】
2017044773.tif 000003
【図２】
2017044773.tif 000004
【図３】
2017044773.tif 000005
【図４】
2017044773.tif 000006
【図５】
2017044773.tif 000007
【図６】
2017044773.tif 000008
【図７】
2017044773.tif 000009
【図８】
2017044773.tif 000010
【図９】
2017044773.tif 000011
【図１０】
2017044773.tif 000012
【図１１】
2017044773.tif 000013
【図１２】
2017044773.tif 000014
【図１３】
2017044773.tif 000015
【図１４】
2017044773.tif 000016
【図１５】
2017044773.tif 000017
【図１６】
2017044773.tif 000018
【図１７】
2017044773.tif 000019
【図１８】
2017044773.tif 000020
【図１９】
2017044773.tif 000021
【図２０】
2017044773.tif 000022
【図２１】
2017044773.tif 000023
【図２２】
2017044773.tif 000024